(57)【特許請求の範囲】
【請求項１】
基板側ケース部材および該基板側ケース部材に着脱可能な蓋側ケース部材からなり所定の制御基板を内部に収納する保護ケースと、
前記制御基板を収納した保護ケースを遊技機の機枠に対し離脱不能な取付け状態で施錠し固定する施錠式固定機構と、を備えた遊技機の制御基板保護装置において、
前記機枠に対し離脱可能に係合する係合部及びヒンジ結合部により一端側が回動可能であり、他端側が離脱不能に前記機枠に固定されたケース支持枠と、
基端部が前記蓋側ケース部材に固定され、前記基端部から分離突出した複数の先端部が前記基板側ケース部材と前記蓋側ケース部材とを連結する連結位置に移動可能に設けられ、前記複数の先端部のうち１の先端部が前記連結位置に移動した連結状態で前記保護ケースの開封により切断されたときに開封の痕跡を残し前記制御基板を収納した保護ケースを封止する、分離突出した複数の先端部が各々独立して封止可能な封止部材と、を備え、
前記保護ケースが前記ケース支持枠に支持されるとともに、
前記施錠式固定機構が、該ケース支持枠に装着され、前記保護ケースを該ケース支持枠に離脱不能な取付け状態で固定することを特徴とする遊技機の制御基板保護装置。
【請求項２】
前記施錠式固定機構は、前記ケース支持枠に連結されたケースと、前記ケース内に収納された施錠機構と、前記施錠機構を覆うキーガードと、前記ケースに形成されたキーガード取付け穴と、前記キーガード取付け穴に差し込み可能な抜止め構造であり前記キーガードの覆いを解除する際には引きちぎられる複数の係止爪部とを含んで構成され、
前記複数の先端部の数と前記複数の係止爪部の数は同数であることを特徴とする請求項１に記載の遊技機の制御基板保護装置。
【請求項３】
前記保護ケースが前記ケース支持枠に支持されるとき、前記ケース支持枠のヒンジ結合部が該保護ケースによって覆われるよう、前記ヒンジ結合部と前記保護ケースを対向させたことを特徴とする請求項１又は２に記載の遊技機の制御基板保護装置。
【請求項４】
前記複数の先端部は、前記基板側ケース部材と前記蓋側ケース部材とを連結しない非連結時には遊技機の上下方向に起立して前記蓋側ケース部材に固定されていることを特徴とする請求項１、２又は３に記載の遊技機の制御基板保護装置。
【発明の詳細な説明】
【０００１】
【発明の属する技術分野】
本発明は、遊技機の役物類やアクチュエータ類を制御する制御基板を保護する制御基板保護装置、特にパチンコ遊技機の主基板を保護するのに好適な制御基板保護装置に関する。
【０００２】
【従来の技術】
従来、遊技媒体（遊技球、遊技メダル等）を使用して所定の遊技を行い、その入賞態様に応じて遊技媒体を払い出すようにした遊技機においては、遊技動作や遊技媒体の払出し等のためのアクチュエータ類を制御するとともに大当り等の演出を行う制御基板を装備したものが多用されている。
【０００３】
また、パチンコ遊技機等の弾球遊技機においては、弾球遊技の興趣を高め、遊技者を飽きさせないように各種の役物や表示装置等に工夫を凝らした遊技盤が使用されることから、ＲＯＭを備えた主基板により高度な遊技動作制御がなされている。
【０００４】
この種の遊技機においては、ベースとなる枠体（機枠）の前面側に遊技盤を取り付け、その枠体の裏面側に複数の機構部材からなる裏機構と、保護ケースに収納された主基板その他の基板類とを配設した構成となっている。
【０００５】
また、主基板に対する不正行為等を確実に防止する必要があるため、その主制御基盤を封止機能のある保護ケースに収納して、ベースとなる枠体に離脱不能に取り付けている。その具体的な取付け方法は、例えば保護ケースを支持する基板支持枠を前記ベースとなる枠体にスポット溶接等で固定するとともに、その基板支持枠に保護ケースを施錠機構により離脱不能な状態に施錠し、その施錠状態を封印シールにより封印するといったものである。また、保護ケースは、主基板を支持する基板側ケース部材と、その基板側ケース部材の開口部を閉塞する蓋状の蓋側ケース部材とで構成されており、蓋側ケース部材をスナップフィット方式のアンカー結合部を有する封止部材で基板側ケース部材に離脱不能に結合させ、保護カバーの開放時には封止部材が切断されるようにしている。
【０００６】
【発明が解決しようとする課題】
しかしながら、上記従来の遊技機の基板保護装置にあっては、ベース枠体に固定された基板支持枠に保護ケースを離脱不能に支持させて施錠機構により施錠し、その施錠状態を封印シールにより封印する構成となっていたため、主基板やその保護ケース近傍の裏機構あるいは遊技盤の背面側について修理等の必要が生じると、主基板保護ケース自体に修理等の必要がないにもかかわらず、前記施錠機構の封印を解き、施錠状態を解除（開錠）する必要があった。また、封印シールによる封印は、通常、不正防止のための立入り検査等が行なわれるときに開封されるものであり、遊技ホール側では処置できないため、上記のような修理の必要が生じたときには、迅速なトラブルシュートができず、遊技機の稼働率が低下してしまうという問題が生じていた。
【０００７】
そこで本発明は、保護ケースを封止状態で機枠に離脱不能に取り付けたまま、施錠機構を開錠することなく、主基板保護ケースの近傍の裏機構や遊技盤の背面側について修理等の作業を容易に行うことができるようにすることを目的とするものである。
【０００８】
【課題を解決するための手段】
上記課題を解決するため、本発明は、基板側ケース部材および該基板側ケース部材に着脱可能な蓋側ケース部材からなり所定の制御基板を内部に収納する保護ケースと、前記制御基板を収納した保護ケースを遊技機の機枠に対し離脱不能な取付け状態で施錠し固定する施錠式固定機構と、を備えた遊技機の制御基板保護装置において、前記機枠に対し離脱可能に係合する係合部及びヒンジ結合部により一端側が回動可能であり、他端側が離脱不能に前記機枠に固定されたケース支持枠と、基端部が前記蓋側ケース部材に固定され、前記基端部から分離突出した複数の先端部が前記基板側ケース部材と前記蓋側ケース部材とを連結する連結位置に移動可能に設けられ、前記複数の先端部のうち１の先端部が前記連結位置に移動した連結状態で前記保護ケースの開封により切断されたときに開封の痕跡を残し前記制御基板を収納した保護ケースを封止する、分離突出した複数の先端部が各々独立して封止可能な封止部材と、を備え、前記保護ケースが前記ケース支持枠に支持されるとともに、前記施錠式固定機構が、該ケース支持枠に装着され、前記保護ケースを該ケース支持枠に離脱不能な取付け状態で固定することを特徴とする。
【０００９】
この発明では、ケース支持枠が機枠に対し開閉方向に回動可能に支持され、このケース支持枠によって主基板の保護ケースが支持される。したがって、ケース支持枠を開放側に回動させることで、施錠式固定機構を開錠したりすることなく保護ケースを封止状態で機枠に取り付けたまま、主基板保護ケースの近傍の裏機構や遊技盤の背面側について修理等の作業が容易に可能となる。
【００１０】
また、本発明の制御基板保護装置は、前記施錠式固定機構は、前記ケース支持枠に連結されたケースと、前記ケース内に収納された施錠機構と、前記施錠機構を覆うキーガードと、前記ケースに形成されたキーガード取付け穴と、前記キーガード取付け穴に差し込み可能な抜止め構造であり前記キーガードの覆いを解除する際には引きちぎられる複数の係止爪部とを含んで構成され、前記複数の先端部の数と前記複数の係止爪部の数は同数であることを特徴とする。
【００１１】
さらに、本発明の制御基板保護装置は、前記保護ケースが前記ケース支持枠に支持されるとき、前記ケース支持枠のヒンジ結合部が該保護ケースによって覆われるよう、前記ヒンジ結合部と前記保護ケースを対向させたことを特徴とする。したがって、ケース支持枠の機枠へのヒンジ取付けにねじ等を利用したとしても、保護ケースの装着状態ではそのヒンジ結合部分が覆われることとなり、所要の封止取付け機能を確保することができ、組立やメンテナンスの容易化を図ることができる。
【００１２】
また、本発明の制御基板保護装置は、前記複数の先端部は、前記基板側ケース部材と前記蓋側ケース部材とを連結しない非連結時には遊技機の上下方向に起立して前記蓋側ケース部材に固定されていることを特徴とする。
【００１４】
【発明の実施の形態】
以下、本発明の好ましい実施形態を図面に基づいて説明する。
図１〜図１７は本発明の一実施形態に係る遊技機の制御基板保護装置を示す図であり、本発明をパチンコ遊技機に適用した例を示している。
図１〜図３において、１０はパチンコ遊技機であり、パチンコ遊技機１０は、外枠１００に支持されたベース枠体１１（機枠）と、このベース枠体１１の前面上部に開閉可能に設けられた窓扉１２と、ベース枠体１１の前面側に配置された遊技盤１３とを備えている。ベース枠体１１は、図１中の左端側でヒンジ機構１１５Ａ、１１５Ｂを介して外枠１００に前後に開閉可能に支持されており、通常は閉じている。
【００１５】
窓扉１２は、遊技盤１３の遊技領域１３ａに対応する開口窓１２ａを形成したもので、ベース枠体１１に対し前後の開閉ができるよう図示しないヒンジ機構を介してベース枠体１１に回動可能に支持されている。この窓扉１２には、複数の発光素子群を内蔵した電飾表示部１２１、１２２が設けられている。また、窓扉１２はロック機構１２３によってベース枠体１１に対し閉止位置でロックされ、更にベース枠体１１と共に閉止状態で外枠１００にロックされるようになっている。
【００１６】
窓扉１２の下方には、上側球受皿１５が設けられており、その上側球受皿１５の下方側には、下側球受皿１６と、遊技者によって回動操作される操作ハンドル１７とが、それぞれ設けられている。上側球受皿１５はベース枠体１１に開閉可能に支持された上皿パネル１５０の一部として構成されている。１８は、上側球受皿１５の球抜き操作を行うための球抜操作レバーであり、球抜操作レバー１８を図中で左側に移動させる球抜き操作によって上側球受皿１５から下側球受皿１６に遊技球が流下・排出できるようになっている。１９は灰皿である。
【００１７】
遊技盤１３の前面側には、図１および図３に示すように、始動入賞口２３とワープルート付の図柄表示装置７０とを略中央に配し、その上方に普通図柄表示装置６０を、その下方に大入賞口２６および通過ゲート２７をそれぞれ配した構成となっている。また、始動入賞口２３の左右には一般入賞口２４Ａ、２４Ｂ、２５Ａ、２５Ｂが、図柄表示装置７０の左右には風車２８Ａ、２８Ｂ（遊技球の流下方向を変化させる回転自在な障害物）がそれぞれ配設されている。そして、これら役物類を取り囲む円環状に、複数のＬＥＤ等の発光素子を内設した遊技演出用ランプ２９Ａ、２９Ｂ、２９Ｃ等が設けられ、周方向にブロック分けされたその複数のＬＥＤ群が順次選択的に又は同時に点灯するよう点灯制御されるようになっている。この遊技盤１３は、ベース枠体１１の前面側で上下のヒンジピン部１３ｈ、１３ｉを介して前後方向（開閉方向）に回動可能に支持されている。また、遊技盤１３の下方側に位置するベース枠体１１の下部前面側には、遊技盤１３の下方に位置する発射装置３０が配設されている。
【００１８】
図４および図５に示すように、ベース枠体１１の裏面側には、主基板保護装置２１０、集合基板ケース２２０および枠基板ケース２５０と、複数の機構部材からなる裏機構（詳細は図示していない）とがそれぞれ設けられている。前記裏機構は、例えば島装置からの供給球を収納する球タンク１１１と、その球タンク１１１からの遊技球を賞球又は貸出球として払出し口２９に供給する図示しない球通路と、その球通路の途中で球区切りを行う球区切り装置と、球区切り装置からの遊技球を賞球と貸出球とに区分し計数する賞球・貸出球切替え装置および賞球検出スイッチ、貸出球検出スイッチ等で構成されている。
【００１９】
なお、図５において、２６０は、遊技盤１３に装着された図柄表示装置７０の表示制御基板を含む液晶ケースであり、図２において、２７０は上側球受皿１５から発射装置３０に遊技球を供給するよう上皿パネル１５０の裏面側に装着された球送り装置である。
【００２０】
図６〜図１７は、主基板保護装置２１０の詳細な構成を示している。
【００２１】
この主基板保護装置２１０は、図６および図１０〜図１６に示すように、基板側ケース部材３１２およびこの基板側ケース部材３１２に着脱可能な蓋側ケース部材３１３からなる保護ケース３１１を有しており、この保護ケース３１１の内部には図示しない主基板（制御基板）が収納されている。また、保護ケース３１１はケース支持枠３２０および施錠式固定機構３３０によって遊技機１０のベース枠体１１に対し離脱不能な取付け状態で施錠されている。
【００２２】
また、基板側ケース部材３１２と蓋側ケース部材３１３とは、基板側ケース部材３１２に収納された主基板周辺の外周部３１２ｇ、３１３ｇにおいて所定のオーバーラップ量で重なり合っており、そのために両ケース部材３１２、３１３の嵌め込み深さが所定深さ以上に設定されている。ここにいう所定のオーバーラップ量とは、ケース支持枠３２０により保護ケース３１１が支持された状態で、基板側ケース部材３１２と蓋側ケース部材３１３との間を開く外力（例えばドライバー等でこじ開けようとする力）を加えたとき、基板側ケース部材３１２と蓋側ケース部材３１３の弾性限度内における最大の相対変位量を生じる部分の、その相対変位量より大きいオーバーラップ量である。すなわち、封印状態でのケース３１１のこじ開け等を防止し得るオーバーラップ量となるように基板側ケース部材３１２と蓋側ケース部材３１３の相互の嵌め込み深さが設定されている。また、蓋側ケース部材３１３には複数のフック部３１３ｆが設けられており、基板側ケース部材３１２と蓋側ケース部材３１３が前記所定深さまで嵌め合わされたとき、これら複数のフック部３１３ｆが基板側ケース部材３１２に形成された複数の凹部３１２ｍに係止されるようになっている。なお、図１２に示す３１２ｃは、主基板への電気接続をなすための配線引き出し穴部である。
【００２３】
また、保護ケース３１１内の前記主基板は、ＲＯＭやＣＰＵ等の所定の電子部品を搭載した重要保護領域を有しており（図示していない）、蓋側ケース部材３１３はその主基板の重要保護領域に対面する領域の外に複数の放熱穴３１２ｔを有している。この放熱穴３１２ｔは、保護ケース３１１の内外を連通する小径の穴で、例えば所定の直径で等ピッチに形成されており、放熱穴３１２を通した前記重要保護領域への不正行為を防止する構造となっている。
【００２４】
ケース支持枠３２０は、保護ケース３１１を一端側から着脱可能に嵌め込むことができる第１枠部材３２１と、各一対の取付けねじ３２３ａ、３２３ｂによりベース枠体１１に締結固定された取付けブラケット３２２Ｕ、３２２Ｌ（ヒンジ結合部）と、保護ケース３１１の他端部を第１枠部材３２１との間に拘束する第２枠部材３２５とによって構成されており、ベース枠体１１に対し一端側で回動可能かつ離脱不能に支持されている。
【００２５】
図７〜図９に示すように、第１枠部材３２１は、保護ケース３１１の底面（取付面）に対向する平坦部３２１ａと、保護ケース３１１の一端部を前後、上下および一側方から保持する保持部３２１ｂと、保護ケース３１１の他端部を前方（ベース枠体１１側）、下方および他側方から受ける受け部３２１ｃと、手動操作されるロック部材３４１によってベース枠体１１に手動解除可能にロックされるロック部３２１ｄとを有している。
【００２６】
ここで、ロック部材３４１は、ベース枠体１１の裏面側から把持されて、ベース枠体１１に設けた穴（図示されていない）に抜き差しされるようになっており、前記穴に差し込まれるロック部材３４１の先端部がその穴への挿入開始段階では縮径し挿入完了段階では拡径して、その差込完了位置で前記穴内に引き抜き可能に保持されるようになっている。そして、このロック部材３４１をベース枠体１１の穴から引き抜くことによって、ケース支持枠３２０の第２枠部材３２５側の端部をベース枠体１１から離すことができ、ケース支持枠３２０を第１枠部材３２１側のヒンジにより回動させることができるようになる。
【００２７】
また、取付けブラケット３２２Ｕ、３２２Ｌは、第１枠部材３２１の保持部３２１ｂをヒンジピン３２２ａ、３２２ｂ（図６参照）を介して回動可能に支持するとともに、各一対の取付けねじ３２３ａ、３２３ｂによりベース枠体１１に締結固定されている。また、第２枠部材３２５は、第１枠部材３２１の他端側にヒンジ結合された下端部３２５ｂと、第１枠部材３２１に施錠式固定機構３３０を介して開錠可能に施錠固定された上端部３２５ａとを有している。この第２枠部材３２５は、上端部３２５ａが施錠式固定機構３３０によって第１枠部材３２１に施錠固定されたとき、保護ケース３１１の他端部に前後方向他方側から当接することで、保護ケース３１１の前後動を第１枠部材３２１と協働して規制するようになっている。なお、第１枠部材３２１の保持部３２１ｂには、ねじ３２３ａ、３２３ｂをベース枠体１１の裏側から着脱できるよう前後に重なる各一対の略長方形の開口３２１ｅ、３２１ｆが形成されており、保護ケース３１１を取り外した状態でベース枠体１１に取付けブラケット３２２Ｕ、３２２Ｌを着脱できるようにしている。
【００２８】
保護ケース３１１を構成する基板側ケース部材３１２および蓋側ケース部材３１３は、図１６に示すように、両ケース部材３１２、３１３のオーバーラップ部分である外周部３１２ｇ、３１３ｇにおいて嵌め合わされるとともに、例えばプラスチックからなる複数対の封止部材３５１Ａ、３５１Ｂ、３５１Ｃ、３５１Ｄのうち同一番号を付された一対の封止部材（例えば封止部材３５１Ａ）によって互いに離脱不能に結合されている。これら封止部材３５１Ａ〜３５１Ｄは基端側連結部３５５によって互いに一体に連結されており、その基端側連結部３５５が複数箇所で蓋側ケース部材３１３の２箇所にかしめ又は溶着等によって離脱不能に固定されている。
【００２９】
また、各封止部材３５１Ａ、３５１Ｂ、３５１Ｃ又は３５１Ｄは、図１６に示すように、基端側連結部３５５と一体に成形された弾性腕部３５２ａと、その先端側に一体形成された環状部３５２ｂと、環状部３５２ｂに複数箇所で結合するようこれと一体に結合された矢先状の係止ヘッド部３５２ｃとによって構成されている。そして、複数対の封止部材３５１Ａ〜３５１Ｄのうち、例えば一対の封止部材３５１Ａの係止ヘッド部３５２ｃが基板側ケース部材３１２に形成された複数の係止穴３１２ｅ、３１２ｆに差し込まれている。この係止ヘッド部３５２ｃの係止構造は、例えば環状部３５２ｂ内に２箇所で連結された連結の先端に一対の弾性爪が互いに鋭角な挟角をなして支持されたもので、係止ヘッド部３５２ｃが各係止穴３１２ｅ、３１２ｆに差し込まれるときにはその弾性爪が互いに接近するよう弾性変形し、所定深さまで挿入されたときに弾性回復した弾性爪の後端部が図１０（ｂ）に示すように係止穴３１２ｅ、３１２ｆの穴壁に係止されるようになっている。
【００３０】
ところで、この係止ヘッド部３５２ｃの抜去に要する力は、環状部３５２ｂと係止ヘッド部３５２ｃの間の部分的な連結部を破断させる力よりも十分に大きくなっており、保護ケース３１１を開けるために基板側ケース部材３１２から蓋側ケース部材３１３を外すときには、基板側ケース部材３１２の係止穴３１２ｅ、３１２ｆに差し込まれている一対の封止部材、例えば封止部材３５１Ａが環状部３５２ｂと係止ヘッド部３５２ｃの間で引きちぎられて環状部３５２ｂの内周に破談の痕跡を残すようになっている。すなわち、封止部材３５１Ａ〜３５１Ｄは、基板側ケース部材３１２および蓋側ケース部材３１３にそれぞれ離脱不能に連結された係止ヘッド部３５２ｃおよび基端連結部３５５と、保護ケース３１１の開封により切断されて開封の痕跡を残す切断部としての環状部３５２ｂとを有している。
【００３１】
本実施形態の保護ケース３１１は上述のように封止および開放されるが、開封後に再度封止するときには、次の一対の封止部材、例えば封止部材３５１Ｂの係止ヘッド部３５２ｃが基板側ケース部材３１２に形成された未使用の係止穴３１２ｅ、３１２ｆに差し込まれる。なお、このような保護ケース３１１の封止と開放は、通常、不正防止のための立ち入り検査時等に行われる。
【００３２】
一方、施錠式固定機構３３０は、図１７に示すようにケース支持枠３２０の第２枠部材３２５の上端部３２５ａに装着されており、これに対応して第１枠部材３２１の回動側端部に設けられた施錠用の係止穴３２１ｋ内に図示しないフック状の係止爪を出没させることで、施錠時には第１枠部材３２１に対する第２枠部材３２５の回動を規制し、開錠時には第１枠部材３２１に対する第２枠部材３２５の回動を可能にするものである。また、この施錠式固定機構３３０には、例えば第２枠部材３２５の上端部３２５ａに固着され連結されたケース３３１と、所定の鍵によって施錠および開錠できるようケース３３１内に収納された施錠機構部３３２と、ケース３３１に形成されたキーガード取付け穴３３１ｈにそれぞれ差し込み可能な係止爪部３３３ａ、３３３ｂ、３３３ｃおよび３３３ｄを有するキーガード部材３３３と、を含んで構成されている。ここで、係止爪部３３３ａ〜３３３ｄはそれぞれ上述した係止ヘッド部３５２ｃと同様な抜止め構造のもので、一度差し込むと抜けないようになっている。なお、図１７（ａ）はキーガード部材３３３の装着前の状態を、図１７（ｂ）はキーガード部材３３３の装着後の状態を、それぞれ示している。
【００３３】
係止爪部３３３ａ〜３３３ｄのうち係止爪部３３３ｄはキーガード取付け穴３３１ｈに最初に差し込まれ、最初の開錠の際には、係止爪部３３３ｄがキーガード部材３３３から引きちぎられる。そして、次の施錠時には例えば係止爪部３３３ａがキーガード取付け穴３３１ｈに差し込まれ、鍵穴が封止される。
【００３４】
保護ケース３１１やその内部の基板を検査したり修理したりする場合には、保護ケース３１１の取り出しがされるが、その場合、まず、キーガード取付け穴３３１ｈに差し込まれた係止爪部３３３ａ等を引きちぎってキーガード３３３をめくり上げ、鍵穴である施錠機構部３３２をむき出しにして、そこにキーを差し込んで開錠する。次に、第２枠部材３２５をヒンジ結合された下端部３２５ｂを中心に後ろ側に倒すよう回動させる。この状態においては、第２枠部材３２５の上端部３２５ａが第１枠部材３２１に施錠固定され、第１枠部材３２１と第２枠部材３２５による保護ケース３１１の前後動の規制が解除されるので、保護ケース３１１を第１枠部材３２１上から容易に取り外すことができる。勿論、このような保護ケース３１１の取り出しが必要でなければ、上述のように、ロック部材３４１をベース枠体１１の穴から引き抜いて、保護ケース３１１を施錠固定したままのケース支持枠３２０を第１枠部材３２１側のヒンジにより回動させる。
【００３５】
なお、図６において、２２５は主基板を他の基板又は外部に電気接続するための端子板である。
【００３６】
上述のように、本実施形態のパチンコ遊技機１０においては、ケース支持枠３２０がベース枠体１１に対し開閉方向に回動可能に支持され、このケース支持枠３２０および施錠式固定機構３３０によって前記主基板の保護ケース３１１がベース枠体１１に離脱不能状態で支持されている。したがって、施錠式固定機構３３０を開錠したり、そのためにキーガード部材３３３を引きちぎったりすることなく、ロック部材３４１をベース枠体１１の穴から引き抜いてケース支持枠３２０を回動させるだけで、保護ケース３１１を封止状態でベース枠体１１に離脱不能に取り付けたまま、保護ケース３１１の近傍の裏機構や遊技盤１３の背面側について修理等の作業が容易に可能となる。
【００３７】
また、ケース支持枠３２０のベース枠体１１へのヒンジ取付けにねじ等を利用しながらも、保護ケース３１１の装着状態ではそのヒンジ結合部分が覆われることとなるから、所要の封止取付け機能を確保することができ、組立やメンテナンスの容易化を図ることができる。
【００３８】
さらに、基板側ケース部材３１２に収納された主基板の周辺で、基板側ケース部材３１２と蓋側ケース部材３１３とが所定のオーバーラップ量で重なり合うよう、両ケース部材３１２、３１３の嵌め込み深さが設定されているので、封印状態でのケース３１１のこじ開け等を確実に防止することができる。
【００３９】
また、蓋側ケース部材３１３のうち前記主基板の重要保護領域に対面する領域の外に放熱穴３１３ｔが形成されているので、放熱穴３１３ｔを通した不正行為を防止することができる。
【００４０】
本実施形態では、また、保護ケース３１１の基板側ケース部材３１２および蓋側ケース部材３１３に離脱不能に連結されてその保護ケース３１１の開封により切断痕を残す封止部材３５１Ａ〜３５１Ｄが設けられているので、封止構造の保護ケース３１１を基板組付けの容易な形状にすることができる。しかも、複数の封止部材３５１Ａ〜３５１Ｄが設けられているので、封止部材３５１Ａによる封止状態の開封後に再度封止するとき、次の一対の封止部材３５１Ｂの係止ヘッド部３５２ｃを未使用の係止穴３１２ｅ、３１２ｆに差し込むといった具合に、開封後の再封止作業を非常に容易に行うことができる。
【００４１】
なお、上述の実施形態においては、パチンコ遊技機を例に説明したが、本発明は制御基板を封止構造の保護ケースに収納して筐体に取り付ける構成を有する他の遊技機に適用することができる。
【００４２】
【発明の効果】
本発明によれば、機枠に対し開閉方向に回動可能なケース支持枠に、施錠式固定機構によって主基板の保護ケースを離脱不能に支持させているので、施錠式固定機構を開錠したりすることなく、保護ケースを封止状態でそのケース支持枠に離脱不能に取り付けたままの状態でケース支持枠を開放側に回動させ、主基板保護ケースの近傍の裏機構や遊技盤の背面側について修理作業や検査等の作業空間を確保することができる。その結果、主基板保護ケース近傍の修理作業や検査等を容易に行うことができる遊技機を提供することができる。
また、基端部が蓋側ケース部材に固定され、基端部から分離突出した複数の先端部が基板側ケース部材と蓋側ケース部材とを連結する連結位置に移動可能に設けられ、連結状態で保護ケースの開封により切断されたときに開封の痕跡を残し制御基板を収納した保護ケースを封止する、分離突出した複数の先端部が各々独立して封止可能な封止部材とを備えたため、通常、不正防止のための立ち入り検査時等に行われる保護ケースの封止と開放が行われた後の再封止の際に開封後の再封止作業を非常に容易に行うことができる。
【図面の簡単な説明】
【図１】本発明の一実施形態に係る遊技機の正面側の外観斜視図である。
【図２】一実施形態の遊技機の窓扉を開いた状態の正面図である。
【図３】本発明の一実施形態に係る遊技機の遊技盤の正面図である。
【図４】本発明の一実施形態に係る遊技機の裏面側の外観斜視図である。
【図５】本発明の一実施形態に係る遊技機の裏面図である。
【図６】本発明の一実施形態に係る遊技機の制御基板保護装置を示す図５の部分拡大図である。
【図７】一実施形態の制御基板保護装置におけるケース支持枠の裏面図である。
【図８】（ａ）は一実施形態の制御基板保護装置におけるケース支持枠の下面図、（ｂ）はその保持部の断面図である。
【図９】一実施形態の制御基板保護装置におけるケース支持枠の側面図である。
【図１０】（ａ）は一実施形態の制御基板保護装置における基板側ケース部材の裏面図、（ｂ）は封止部材の係止状態を示すその基板側ケース部材の部分断面図である。
【図１１】（ａ）は一実施形態の制御基板保護装置における基板側ケース部材の下面図、（ｂ）はその高さ方向中心部における水平断面図である。
【図１２】（ａ）は一実施形態の制御基板保護装置における基板側ケース部材の側面図、（ｂ）は図１０のＢ12-Ｂ12断面図である。
【図１３】（ａ）は一実施形態の制御基板保護装置における蓋側ケース部材の裏面図、（ｂ）はその基板側ケース部材の下面図である。
【図１４】（ａ）は一実施形態の制御基板保護装置における蓋側ケース部材の上面図、（ｂ）はその基板側ケース部材の高さ方向中間部の水平断面図である。
【図１５】（ａ）は一実施形態の制御基板保護装置における蓋側ケース部材の側面図、（ｂ）はその基板側ケース部材の周壁部の断面図である。
【図１６】（ａ）は一実施形態の制御基板保護装置における封止部材の組立後未開封の状態を示す要部斜視図、（ｂ）はその封止部材の開封および再封止後の状態を示す要部斜視図である。
【図１７】（ａ）は一実施形態の制御基板保護装置における施錠式固定機構の要部裏面図、（ｂ）は施錠後のキーガード装着状態を示すその施錠式固定機構の要部裏面図である。
【符号の説明】
１０    パチンコ遊技機（遊技機）
１１    ベース枠体（機枠）
１３    遊技盤
１００    外枠
１１１    球タンク
２１０    主基板保護装置
２２０    集合基板ケース
２５０    枠基板ケース
３１１    主基板保護ケース
３１２    基板側ケース部材
３１２ｅ、３１２ｆ    係止穴
３１２ｇ、３１３ｇ    外周部（オーバーラップ部）
３１２ｔ    放熱穴
３１３    蓋側ケース部材
３１３ｆ    フック部
３１３ｔ    放熱穴
３２０    ケース支持枠
３２１    第１枠部材
３２１ｅ、３２１ｆ    開口
３２１ｋ    係止穴
３２２Ｕ、３２２Ｌ    ブラケット（ヒンジ結合部）
３２５    第２枠部材
３３０    施錠式固定機構
３３３    キーガード部材
３３３ａ、３３３ｂ、３３３ｃ、３３３ｄ    係止爪部
３４１    ロック部材（係合部）
３５１Ａ、３５１Ｂ、３５１Ｃ、３５１Ｄ    封止部材
３５２ａ    弾性腕部（曲げ部）
３５２ｂ    環状部（切断部）
３５２ｃ    係止ヘッド部
３５５    基端側連結部
【図１】
0004546616.tif 000002
【図２】
0004546616.tif 000003
【図３】
0004546616.tif 000004
【図４】
0004546616.tif 000005
【図５】
0004546616.tif 000006
【図６】
0004546616.tif 000007
【図７】
0004546616.tif 000008
【図８】
0004546616.tif 000009
【図９】
0004546616.tif 000010
【図１０】
0004546616.tif 000011
【図１１】
0004546616.tif 000012
【図１２】
0004546616.tif 000013
【図１３】
0004546616.tif 000014
【図１４】
0004546616.tif 000015
【図１５】
0004546616.tif 000016
【図１６】
0004546616.tif 000017
【図１７】
0004546616.tif 000018